(57)【要約】【課題】カフスボタンを使用した場合、常に、留め部材に施したロゴ等の装飾がカフスの内側に表出するようにして、使用者の利便性と、デザインの自由度を向上させ、装飾具として価値を高めることのできるカフスボタンを提供する。【解決手段】ボタン本体２と、ボタン本体２裏面に固定された脚部材３と、脚部材３先端に１８０度又は３６０度回転可能に取り付けられた留め部材４とで構成し、この留め部材４は、回転によりボタン本体２の反対側に表出する一方表出部５ａと、回転によりボタン本体２に対面する側に表出する他方表出部５ｂの両表出部５（５ａ，５ｂ）に、おのおの表出部用装飾６（６ａ，６ｂ）を施こしたことを特徴する。【選択図】図１
0003133582.tif 000002
【実用新案登録請求の範囲】
【請求項１】
ボタン本体と、ボタン本体裏面に固定された脚部材と、脚部材先端に回転可能に取り付けられた留め部材とで構成され、この留め部材は、回転によりボタン本体の反対側に表出する一方表出部と、回転によりボタン本体に対面する側に表出する他方表出部の両表出部に、おのおの表出部用装飾が施されたことを特徴とするカフスボタン。
【請求項２】
飾りボタンよりなるボタン本体と、ボタン本体裏面に固定された二股形状の脚部材と、脚部材の二股先端間に３６０度回転可能に取り付けられた棒形状の留め部材とで構成され、この留め部材は、回転によりボタン本体の反対側に表出する一方表出部と、回転によりボタン本体に対面する側に表出する他方表出部の両表出部に、おのおの表出部用装飾が施されたことを特徴とするカフスボタン。
【請求項３】
前記表出部用装飾は、文字、図形、数字、商標などのロゴマーク、キャラクターなど、又はこれらの組合せからなる装飾であって、前記留め部材の前記一方及び他方表出部に、刻印、象嵌、焼き付け、印刷などにより剥離不可能に施されていることを特徴とする請求項１又は２に記載のカフスボタン。
【請求項４】
前記留め部材の、前記一方表出部と他方表出部に、おのおの同じ装飾である一方表出部用装飾と他方表出部用装飾が施されたことを特徴とする請求項１乃至３のいずれか１項記載のカフスボタン。
【請求項５】
前記留め部材の、前記一方表出部と他方表出部に、おのおの異なる装飾である一方表出部用装飾と他方表出部用装飾が施されたことを特徴とする請求項１乃至３のいずれか１項記載のカフスボタン。
【考案の詳細な説明】
【技術分野】
【０００１】
本考案は、デザインの自由度を向上させ、装飾具として価値を高めることのできるカフスボタンに関する。
【背景技術】
【０００２】
カフスボタンは、カフスの両ボタン穴に通して互いに重なり合うカフスを留める、実用と装飾とを兼ねたボタンである。カフスボタンは、表面に装飾が施された飾りボタンよりなるボタン本体と、カフスのボタン穴に通されるボタン本体裏面に固定された脚部材と、この脚部材先端に回転可能に取り付けられた装飾の施されていない留め部材で構成されている。
カフスボタンを使用して互いに重なり合うカフスをとめる場合には、留め部材を脚部材に対して平行状態に回転させ、この脚部材と留め部材を互いに重なり合うカフスの外側からボタン穴に通した後、留め部材を脚部材に対して直交状態に回転して、装飾の施され飾りボタンとしてのボタン本体表面がカフスの外側に表出するようにカフスボタンを取り付け、互いに重なり合うカフスを留めるようにしている。
【０００３】
ところが、使用者の腕の動き等によってカフスボタンのボタン本体が表出するカフスの外側だけでなく、留め部材が表出するカフスの内側も見えることとなり、装飾の施されていない留め部材の外面がカフスの内側に表出して、装飾具としての価値を損なうこととなっていた。
【考案の開示】
【考案が解決しようとする課題】
【０００４】
そこで本考案は、上記問題点を解消するために、カフスボタンを使用した場合、常に、留め部材に施したロゴ等の装飾がカフスの内側に表出するようにして、使用者の利便性と、デザインの自由度を向上させ、装飾具として価値を高めることのできるカフスボタンを提供することを目的とする。
【課題を解決するための手段】
【０００５】
次に、上記の課題を解決するための手段を、実施の形態に対応する図面を参照して説明する。
【０００６】
請求項１記載のカフスボタン１は、ボタン本体２と、ボタン本体２裏面に固定された脚部材３と、脚部材３先端に１８０度又は３６０度回転可能に取り付けられた留め部材４とで構成され、この留め部材４は、回転によりボタン本体２の反対側に表出する一方表出部５ａと、回転によりボタン本体２に対面する側に表出する他方表出部５ｂの両表出部５（５ａ，５ｂ）に、おのおの表出部用装飾６（６ａ，６ｂ）が施されたことを特徴としている。
【０００７】
請求項２記載のカフスボタン１は、飾りボタンよりなるボタン本体２と、ボタン本体２裏面に固定された二股形状の脚部材３と、脚部材３の二股先端間に３６０度回転可能に取り付けられた棒形状の留め部材４とで構成され、この留め部材４は、回転によりボタン本体２の反対側に表出する一方表出部５ａと、回転によりボタン本体２に対面する側に表出する他方表出部５ｂの両表出部５（５ａ，５ｂ）に、おのおの表出部用装飾６（６ａ，６ｂ）が施されたことを特徴としている。
【０００８】
前記表出部用装飾６（６ａ，６ｂ）は、文字、図形、数字、商標などのロゴマーク、キャラクターなど、又はこれらの組合せからなる装飾であって、前記留め部材４の前記対抗する一方及び他方表出部に、刻印、象嵌、焼き付け、印刷などにより剥離不可能に施されていることを特徴としている。
【０００９】
請求項４記載のカフスボタン１では、前記留め部材４の、前記一方表出部５ａと他方表出部５ｂに、おのおの同じ装飾である一方表出部用装飾と他方表出部用装飾が施されたことを特徴としている。
【００１０】
請求項５記載のカフスボタン１では、  前記留め部材４の、前記一方表出部５ａと他方表出部５ｂに、おのおの異なる装飾である一方表出部用装飾と他方表出部用装飾が施されたことを特徴としている。
【考案の効果】
【００１１】
本考案のカフスボタンによれば、使用者が留め部材の回転方向に制約されず、留め部材に施されたロゴ等の装飾がカフスの内側に表出し、何ら装飾のない無機質な部分がカフスの内側に表出するのを防止することができ、使用者の利便性と、デザインの自由度を向上させたカフスボタンを提供することができる。
【００１２】
また、留め部材の回転方向に制約されないため、ロゴ等の装飾だけでなく、留め部材の両表出部に装飾の異なる装飾を自由に施すことにより、使用者が服装に合った表出部用装飾を選ぶことができ、装飾具としての価値を高めたカフスボタンを提供することが可能である。
【考案を実施するための最良の形態】
【００１３】
以下、本案件の実施の形態を図面を参照して具体的に説明する。
図１（ａ）は、本考案によるカフスボタンの一例を示す表面からの斜視図、図１（ｂ）は、本考案によるカフスボタンの一例を示す裏面からの斜視図、  図２は本考案によるカフスボタンの一例をカフスに取り付けた状態を示す斜視図である。
【００１４】
この実施の形態のカフスボタン１は、図１に示すように、飾りボタンよりなるボタン本体２と、カフス１０のボタン穴１１に通されるボタン本体２裏面に固定された脚部材３と、脚部材３の先端に回転可能に取り付けられた留め部材４とで構成される。脚部材３は、二股形状（略Ｙ形若しくは略Ｕ形）とされ、その二股先端間に棒形状とされた留め部材４の中間部が、３６０度回転自在に枢着されている。この実施例の留め部材４は、両端が半円形に研削された丸棒により形成されている。
【００１５】
図１に示すように、留め部材４は、その対抗する表裏をなす、一方表出部５ａ（５）と他方表出部５ｂ（５）におのおの施された、一方表出部用装飾６ａ（６）と他方表出部用装飾６ｂ（６）が施されている。表出部用装飾６（６ａ，６ｂ）は、文字、図形、数字、商標などのロゴマーク、キャラクターなど、又はこれらの組合せからなる装飾であって、留め部材４の対抗する一方及び他方表出部に、刻印、象嵌、焼き付け、印刷などにより剥離不可能に施されている。
【００１６】
また、図１に示すように、カフスボタン１は、脚部材が留め部材の回転方向を規制して、一方向に９０度のみ回転させる構造のカフスボタンとは異なり、回転方向を一方向に規制させる構造ではないため、回転方向に制約を受けずに３６０度回転でき、留め部材４の一方表出部５ａ（５）と他方表出部５ｂ（５）におのおの施された、一方表出部用装飾６ａ（６）と他方表出部用装飾６ｂ（６）のうち必ずどちらかの表出部用装飾６が、図２に示すように、カフス１０の内側に表出することになる。
【００１７】
したがって、回転方向に制約を受けないカフスボタンを提供できるため、使用者の利便性と、デザインの自由度を向上することができる。
【００１８】
さらに、留め部材の回転方向に制約されないため、留め部材４の一方表出部５ａ（５）と他方表出部５ｂ（５）に、装飾の異なる一方表出部用装飾６ａ（６）と他方表出部用装飾６ｂ（６）を、両表出部５に自由に施すことにより、使用者が服装に合った表出部用装飾６を選ぶことができるカフスボタンを提供することが可能であり、装飾具としての価値を高めることができる。
【図面の簡単な説明】
【００１９】
【図１】本考案によるカフスボタンの一例を示す斜視図である。
【図２】本考案によるカフスボタンの一例を取り付けた状態を示す斜視図である。
【符号の説明】
【００２０】
１…カフスボタン
２…ボタン本体
３…脚部材
４…留め部材
５ａ（５）…一方表出部
５ｂ（５）…他方表出部
６ａ（６）…一方表出部用装飾
６ｂ（６）…他方表出部用装飾
１０…カフス
１１…ボタン穴
【図１】
0003133582.tif 000003
【図２】
0003133582.tif 000004
【手続補正書】
【提出日】平成19年5月7日(2007.5.7)
【手続補正１】
【補正対象書類名】実用新案登録請求の範囲
【補正対象項目名】請求項３
【補正方法】変更
【補正の内容】
【請求項３】
前記表出部用装飾は、文字、図形、数字、商標などのロゴマーク、キャラクター、又はこれらの組合せからなる装飾であって、前記留め部材の前記一方及び他方表出部に、刻印、象嵌、焼き付け、又は印刷により剥離不可能に施されていることを特徴とする請求項１又は２に記載のカフスボタン。